(57)【要約】  本発明は、ディスプレイされた客体を処理するためのユーザインターフェースに関する発明であって、本発明の実施によるユーザの入力装置によりディスプレイされた客体をナビゲーションし、客体のうちいずれか一つの客体を選択する方法は、選択可能な客体の一部をグルーピングしてブロックを形成する第１ステップと、ブロックに属する選択可能な客体とユーザ入力装置の選択入力キーとをマッピングする第２ステップ、及び選択入力キーによりブロックに属する選択可能な客体のうちいずれか一つの客体を活性化させる第３ステップを含むことを特徴とする。
2007523403.tif 000002
【特許請求の範囲】
【請求項１】
ユーザの入力装置によりディスプレイされた客体をナビゲーションし、前記客体のうちいずれか一つの客体を選択する方法において、
前記選択可能な客体の一部をグルーピングしてブロックを形成する第１ステップと、
前記ブロックに属する選択可能な客体とユーザ入力装置の選択入力キーとをマッピングする第２ステップと、
前記選択入力キーにより前記ブロックに属する選択可能な客体のうちいずれか一つの客体を活性化させる第３ステップと、を含むことを特徴とするユーザインターフェース方法。
【請求項２】
前記第１ステップは、前記ユーザ入力装置の移動入力キーにより他の部分をグループ化することを特徴とする請求項１に記載のユーザインターフェース方法。
【請求項３】
前記選択入力キーに対応する識別子が前記選択可能な客体にディスプレイされることを特徴とする請求項１に記載のユーザインターフェース方法。
【請求項４】
前記選択入力キーは、数字ボタンであることを特徴とする請求項３に記載のユーザインターフェース方法。
【請求項５】
ユーザの入力装置によりディスプレイされた客体をナビゲーションし、前記客体のうちいずれか一つの客体を選択する装置において、
ディスプレイ装置と、
選択可能な客体の一部をグルーピングしてブロックを形成し、前記ブロックに属する選択可能な客体とユーザ入力装置の選択入力キーとをマッピングした後、前記選択入力キーにより前記ブロックに属する選択可能な客体のうちいずれか一つの客体を活性化させる制御装置と、を備えることを特徴とするユーザインターフェース装置。
【請求項６】
前記制御装置は、前記ユーザ入力装置の移動入力キーにより他の部分をグループ化することを特徴とする請求項５に記載のユーザインターフェース装置。
【請求項７】
前記選択入力キーに対応する識別子が前記選択可能な客体にディスプレイされることを特徴とする請求項５に記載のユーザインターフェース装置。
【請求項８】
前記選択入力キーは、数字ボタンであることを特徴とする請求項７に記載のユーザインターフェース装置。
【発明の詳細な説明】
【技術分野】
【０００１】
本発明は、ディスプレイされた客体を処理するためのユーザインターフェース方法及び装置に係り、より詳細には、ユーザがグループ化されたコンテンツ目録をナビゲーションしてさらに迅速かつ効率的に所望のコンテンツを選択して実行するディスプレイされた客体を処理するためのユーザインターフェース方法及び装置に関する。
【背景技術】
【０００２】
現在、デジタルテレビで使われるＥＰＧ（エレクトロニックプログラムガイド）は、新聞で容易に見られる放送編成表とほぼ類似した形を有しているので、一般のユーザは容易にＥＰＧを利用できる。一般的に前記ＥＰＧは、リモコンのような遠隔制御機器に付着された４方向キーを用いてユーザが所望するプログラムに移動できるようになっている。また、ユーザが遠隔制御機器により制御されるディスプレイ装置で特定の写真を見るために多数の写真目録を検索するか、特定の音楽を聞くために多数の音楽ファイルを検索する場合にも、前記４方向キーを利用する。
【０００３】
しかし、前記のように４方向キーを用いて放送プログラム、イメージデータ、オーディオデータのようなコンテンツを実行するために前記コンテンツについての目録から検索する場合には、ただ１個のコンテンツ間隔にのみ移動できるが、図１ないし図３においてその例を挙げている。
【０００４】
図１は、従来の方法によってＥＰＧ上で放送プログラムを実行するための方向キーの入力回数を示す例示図である。
【０００５】
ユーザがデジタルテレビを視聴する時、ＥＰＧ画面を実行させれば、前記図１のような構造のＥＰＧ画面が現れる。この際、最初のＥＰＧ画面では、初期状態として‘プログラム＿１（ｐｒｏｇｒａｍ）’がハイライトされて指定されると仮定する。もし、ユーザが‘プログラム＿２８’を視聴しようとすれば、前記‘プログラム＿１’から前記‘プログラム＿２８’に４方向キーを用いて前記ハイライトを移動せねばならない。すなわち、前記４方向キーの右向きキーを２回クリックし、再び下向きキーを５回クリックせねばならない。前記‘プログラム＿１’から前記‘プログラム＿２８’に移動可能な他の経路を選択するとしても、合わせて７回の方向キー入力をせねばならない。
【０００６】
図２は、従来の方法によって写真（ｐｉｃｔｕｒｅ）目録から特定の写真を見るための方向キーの入力回数を示す例示図である。
【０００７】
前記図２においても、前記図１に示されたように、‘写真＿１’から‘写真＿１２’に移動するためには、前記４方向キーの右向きキーを３回クリックし、再び下向きキーを２回クリックせねばならない。
【０００８】
図３は、従来の方法によって音楽目録で特定の音楽を聞くための方向キーの入力回数を示す例示図である。
【０００９】
前記図３においても、前記図１に示されたように、‘歌（ｓｏｎｇ）＿１．ｍｐ３’から‘歌＿１０．ｍｐ３’に移動するためには、前記４方向キーの下向きキーを９回クリックせねばならない。
【００１０】
つまり、多量のコンテンツを検索する場合、４方向キーを用いて一度に一つのコンテンツ単位で移動するならば、特定のコンテンツを検索するのに長時間がかかり、ユーザにとっても利用するのに不便さがある。
【発明の開示】
【発明が解決しようとする課題】
【００１１】
本発明は、前記問題点を改善するために案出されたものであって、多数のコンテンツをブロックでグルーピングして、移動キーを用いたコンテンツ検索時に前記ブロックサイズほど移動可能にし、前記ブロックに属したコンテンツのうち、ユーザが所望のコンテンツを選択して実行する方法を提示している。
【課題を解決するための手段】
【００１２】
前記目的を達成するために、本発明の実施によるユーザの入力装置によりディスプレイされた客体をナビゲーションし、前記客体のうちいずれか一つの客体を選択する方法は、前記選択可能な客体の一部をグルーピングしてブロックを形成する第１ステップと、前記ブロックに属する選択可能な客体とユーザ入力装置の選択入力キーとをマッピングする第２ステップ、及び前記選択入力キーにより前記ブロックに属する選択可能な客体のうちいずれか一つの客体を活性化させる第３ステップを含む。
【００１３】
望ましくは、前記第１ステップは、前記ユーザ入力装置の移動入力キーにより他の部分をグループ化することを特徴とする。
【００１４】
望ましくは、前記選択入力キーに対応する識別子が前記選択可能な客体にディスプレイされることを特徴とする。この際、望ましくは、前記選択入力キーは、数字ボタンであることを特徴とする。
【００１５】
前記目的を達成するために、本発明の実施によるユーザの入力装置によりディスプレイされた客体をナビゲーションし、前記客体のうちいずれか一つの客体を選択する装置は、ディスプレイ装置と選択可能な客体の一部をグルーピングしてブロックを形成し、前記ブロックに属する選択可能な客体とユーザ入力装置の選択入力キーをマッピングした後、前記選択入力キーにより前記ブロックに属する選択可能な客体のうちいずれか一つの客体を活性化させる制御装置を含む。
【００１６】
望ましくは、前記制御装置は前記ユーザ入力装置の移動入力キーにより他の部分をグループ化することを特徴とする。
【００１７】
望ましくは、前記選択入力キーに対応する識別子が前記選択可能な客体にディスプレイされることを特徴とする。この際、望ましくは、前記選択入力キーは数字ボタンであることを特徴とする。
【発明を実施するための最良の形態】
【００１８】
以下、添付された図面を参照して本発明の一実施例によるディスプレイされた客体を処理するためのユーザインターフェース装置及び方法を説明すれば次の通りである。
【００１９】
図４は、本発明の実施によってコンテンツ目録をナビゲーションしてコンテンツを実行する方法を示す一実施形態のフローチャートである。
【００２０】
ユーザが放送プログラム、写真、音楽のようなコンテンツを実行するために前記コンテンツについての目録をディスプレイするユーザインターフェースを実行させる（Ｓ４１０）。この際、前記ユーザインターフェースは、前記コンテンツを実行する装置で、ユーザの選択によるか、または自動で実行されうる。
【００２１】
前記ユーザインターフェースは、コンテンツ目録をディスプレイするが、この際、前記コンテンツ目録で一部がグルーピングされてブロックを形成し、前記ブロックに属するそれぞれのコンテンツには、該当するコンテンツを選択するための識別子が表示されているが、前記識別子はアラビア数字であることが望ましい。
【００２２】
ユーザは、４方向キーのようにグループ化された領域を移動させるためのキーを用いて所望のコンテンツが前記領域に含まれるまで、前記領域を移動させる（Ｓ４２０）。この際、前記領域サイズほど移動することが望ましく、場合によっては、移動する大きさを異ならせても良い。
【００２３】
ユーザが所望のコンテンツを選択するためのナビゲーション過程を終えれば、ユーザは所望のコンテンツを選択する（Ｓ４３０）。この際、選択する方法は、ユーザが前記識別子に対応するキーを選択することによってなされうるが、もし、前記識別子がアラビア数字である場合には、ユーザはリモコンのような遠隔制御機器の数字キーを利用しうる。
【００２４】
ユーザが所望のコンテンツを選択すれば、前記コンテンツを実行する装置は、前記選択されたコンテンツを実行する（Ｓ４４０）。
【００２５】
図５は、本発明の実施によってコンテンツ目録をナビゲーションするユーザインターフェースを示す例示図である。
【００２６】
前記図５に示されたＥＰＧ画面では９個のプログラム（プログラム＿１、プログラム＿２、プログラム＿３、プログラム＿６、プログラム＿７、プログラム＿８、プログラム＿１１、プログラム＿１２、プログラム＿１３）を一つのグループとして表示している。この際、ユーザが４方向キーの下向きキーをクリックすれば、グループで表示される領域サイズほど下向き移動する。したがって、他の９個のプログラム（プログラム＿１６、プログラム＿１７、プログラム＿１８、プログラム＿２１、プログラム＿２２、プログラム＿２３、プログラム＿２６、プログラム＿２７、プログラム＿２８）が一つのグループとして表示される。
【００２７】
図６は、本発明の実施によってコンテンツ目録のうち、ユーザ所望の特定コンテンツを選択するユーザインターフェースを示す例示図である。
【００２８】
前記図６で示しているユーザインターフェースでは、グループ化されたそれぞれのプログラム名の右側上段に１から９までの数字が表示されているが、必ずしも右側上段である必要はなく、表示される位置は、ユーザインターフェースを構成する方法によって変わりうる。この際、前記数字は、リモコンのような遠隔制御機器に付着された数字キーの数字に対応する。したがって、ユーザが前記遠隔制御機器を用いて特定数字をクリックすれば、クリックされた数字に該当するプログラムが選択される。
【００２９】
図７は、本発明の実施によってＥＰＧ上で放送プログラムを実行するためのキーの入力回数を示す例示図である。
【００３０】
前記図７に図示しているユーザインターフェースでは、初期状態に‘プログラム＿１’がハイライトされて指定されており、９個のプログラム（プログラム＿１、プログラム＿２、プログラム＿３、プログラム＿６、プログラム＿７、プログラム＿８、プログラム＿１１、プログラム＿１２、プログラム＿１３）が一つのグループで表示されている。また、前記グループに属するそれぞれのプログラム名の右側上段には１から９までの数字が表示されている。この際、前記数字は、リモコンのような遠隔制御機器に付着された数字キーの数字に対応する。
【００３１】
もし、ユーザが‘プログラム＿２８’を選択しようとする場合には、コンテンツ目録をナビゲーションするステップと‘プログラム＿２８’を選択するステップを経ねばならない。この際、前記ナビゲーションステップでは４方向キーを利用し、前記選択ステップでは数字キーを利用するが、前記図７では、前記４方向キーの下向きキーを１回クリックし、前記数字するの‘９’をクリックすれば、ユーザ所望の‘プログラム＿２８’を選択して実行しうる。すなわち、合わせて２回のキー入力だけでユーザ所望のプログラムを実行させうる。図８は、前記図７の結果によるユーザインターフェースを表している。
【００３２】
図９は、本発明の実施によって写真目録から特定写真を見るためのキーの入力回数を示す例示図である。
【００３３】
前記図９に示しているユーザインターフェースでは、初期状態に‘写真＿１’がハイライトされて指定されており、９個の写真（写真＿１、写真＿２、写真＿３、写真＿５、写真＿６、写真＿７、写真＿９、写真＿１０、写真＿１１）が一つのグループで表示されている。また、前記グループに属するそれぞれの写真名の右側上段には１から９までの数字が表示されている。この際、前記数字は、リモコンのような遠隔制御機器に付着された数字キーの数字に対応する。
【００３４】
もし、ユーザが‘写真＿１２’を選択しようとする場合には、コンテンツ目録をナビゲーションするステップと‘写真＿１２’を選択するステップを経ねばならない。この際、前記ナビゲーションステップでは４方向キーを利用し、前記選択ステップでは数字キーを利用するが、前記図９では前記４方向キーの右向きキーを１回クリックし、前記数字キーの‘９’をクリックすれば、ユーザ所望の‘写真＿１２’を選択して見ることができる。すなわち、合わせて２回のキー入力だけでユーザ所望の写真が見られる。図１０は、前記図９の結果によるユーザインターフェースを表している。
【００３５】
図１１は、本発明の実施によって音楽目から特定音楽を聞くためのキーの入力回数を示す例示図である。
【００３６】
前記図１１に示しているユーザインターフェースでは、初期状態に‘歌＿１．ｍｐ３’がハイライトされて指定されており、９個の音楽（歌＿１．ｍｐ３、歌＿２．ｍｐ３、歌＿３．ｍｐ３、歌＿４．ｍｐ３、歌＿５．ｍｐ３、歌＿６．ｍｐ３、歌＿７．ｍｐ３、歌＿８．ｍｐ３、歌＿９．ｍｐ３）が一つのグループで表示されている。また、前記グループに属するそれぞれの写真名の右側には１から９までの数字が表示されている。この際、前記数字は、リモコンのような遠隔制御機器に付着された数字キーの数字に対応する。
【００３７】
もし、ユーザが‘歌＿１０．ｍｐ３’を選択しようとする場合には、コンテンツ目録をナビゲーションするステップと‘歌＿１０．ｍｐ３’を選択するステップとを経ねばならない。この際、前記ナビゲーションステップでは４方向キーを利用し、前記選択ステップでは数字キーを利用するが、前記図１１では、前記４方向キーの下向きキーを１回クリックし、前記数字キーの‘１’をクリックすれば、ユーザ所望の‘歌＿１０．ｍｐ３’を選択して見ることができる。すなわち、合わせて２回のキー入力だけでユーザ所望の音楽を実行させうる。図１２は、前記図１１の結果によるユーザインターフェースを示している。
【産業上の利用可能性】
【００３８】
本発明の実施によってユーザは、さらに迅速かつ効率的に多数のコンテンツのうち、所望のコンテンツを検索して実行させうる。
【００３９】
前述した本発明は、本発明が属する技術分野で当業者によって本発明の技術的思想を外れない範囲内で多様な置換、変形及び変更が可能なので、前述した実施形態及び添付した図面に限定するものではない。
【図面の簡単な説明】
【００４０】
【図１】従来の方法によってＥＰＧ上で放送プログラムを実行するための方向キーの入力回数を示す例示図である。
【図２】従来の方法によって写真目録から特定写真を見るための方向キーの入力回数を示す例示図である。
【図３】従来の方法によって音楽目録から特定音楽を聞くための方向キーの入力回数を示す例示図である。
【図４】本発明の実施によってコンテンツ目録をナビゲーションしてコンテンツを実行する方法を示す一実施形態フローチャートである。
【図５】本発明の実施によってコンテンツ目録をナビゲーションするユーザインターフェースを示す例示図である。
【図６】本発明の実施によってコンテンツ目録のうち、ユーザ所望の特定コンテンツを選択するユーザインターフェースを示す例示図である。
【図７】本発明の実施によってＥＰＧ上で放送プログラムを実行するためのキーの入力回数を示す例示図である。
【図８】前記図７での実施結果によるユーザインターフェースを示す例示図である。
【図９】本発明の実施によって写真目録から特定写真を見るためのキーの入力回数を示す例示図である。
【図１０】前記図９での実施結果によるユーザインターフェースを示す例示図である。
【図１１】本発明の実施によって音楽目録から特定音楽を聞くためのキーの入力回数を示す例示図である。
【図１２】前記図１１での実施結果によるユーザインターフェースを示す例示図である。
【図１】
2007523403.tif 000003
【図２】
2007523403.tif 000004
【図３】
2007523403.tif 000005
【図４】
2007523403.tif 000006
【図５】
2007523403.tif 000007
【図６】
2007523403.tif 000008
【図７】
2007523403.tif 000009
【図８】
2007523403.tif 000010
【図９】
2007523403.tif 000011
【図１０】
2007523403.tif 000012
【図１１】
2007523403.tif 000013
【図１２】
2007523403.tif 000014
【国際調査報告】
2007523403.tif 000015
2007523403.tif 000016